(57)【要約】【課題】  投票者が選択した候補を特定する情報を投票所において無線タグに書き込んで投票箱に投票し、開票所において無線タグが記憶している情報を読み込む電子投票システム、電子投票方法および電子投票プログラムを提供する。【解決手段】  投票装置１０は、無線タグ２１を内蔵した投票用紙である無線タグ付き投票用紙２０の無線タグ２１に、投票者が選択した候補を特定する情報である投票データを書き込む無線タグ読み書き部１１を含み、投票者の指示に応じた投票データを暗号化して書き込む。投票者は、投票データを書き込んだ無線タグ付き投票用紙２０を投票箱に挿入する。開票装置３０では、無線タグ読み込み部３１が無線タグ２１が記憶している情報を読み込み、復号部４０が暗号化された投票データを復号する。【選択図】  図１
2005141569.tif 000002
【特許請求の範囲】
【請求項１】
選挙に用いられる投票用紙に内蔵されている無線タグに、投票者が選択した候補を特定する情報である投票データを暗号化して書き込む無線タグ書き込み手段を含む投票装置を備えた
ことを特徴とする電子投票システム。
【請求項２】
無線タグは、投票データを記憶する投票データ記憶部を含み、
投票装置は、投票者が投票する候補の選択肢を表示手段に表示する候補表示手段と、投票者によって前記選択肢から選択された候補を特定して、特定した候補の投票データを作成する候補特定手段とを含み、
無線タグ書き込み手段は、候補特定手段が作成した候補データを無線タグにおける前記投票データ記憶部に書き込む
請求項１記載の電子投票システム。
【請求項３】
無線タグ書き込み手段は、投票者の確認操作を確認した後、候補データを無線タグにおける投票データ記憶部に書き込む
請求項２記載の電子投票システム。
【請求項４】
候補表示手段は、候補データが無線タグにおける投票データ記憶部に既に書き込まれていた場合には、その旨を表示手段に表示する
請求項２または請求項３記載の電子投票システム。
【請求項５】
投票用紙は、複数枚のシートを含み、前記投票用紙に内蔵されている無線タグは、前記複数枚のシートに挟まれて前記投票用紙に固定される
請求項１から請求項４のうちいずれか１項に記載の電子投票システム。
【請求項６】
投票所の出口に設置され、無線タグを検出する無線タグ検出手段を備えた
請求項１から請求項５のうちいずれか１項記載の電子投票システム。
【請求項７】
投票用紙に内蔵されている無線タグに予め書き込まれている無線タグを特定する情報である投票用紙特定情報と投票データとを読み込む無線タグ読み込み手段と、
前記無線タグ読み込み手段が読み込んだ投票用紙特定情報を記憶する投票用紙特定情報記憶手段と、
前記無線タグ読み込み手段が読み込んだ投票データを記憶する投票データ記憶手段と、
前記投票用紙特定情報記憶手段が、前記無線タグ読み込み手段が読み込んだ投票用紙特定情報を記憶しているか否かを判断する重複読み込み判断手段と、
前記重複読み込み判断手段が、前記投票用紙特定情報記憶手段が、前記無線タグ読み込み手段が読み込んだ投票用紙特定情報を記憶していないと判断すると、前記無線タグ読み込み手段が読み込んだ投票データを前記投票データ記憶手段に記憶させる投票データ書き込み手段とを含む開票装置
を備えた請求項１から請求項６のうちいずれか１項記載の電子投票システム。
【請求項８】
投票用紙に内蔵されている無線タグに記憶されているデータであって投票者が選択した候補を特定する暗号化された情報である投票データを読み込む無線タグ読み込み手段と、
前記無線タグ読み込み手段が読み込んだ投票データを記憶する投票データ記憶手段とを含む開票装置
を備えたことを特徴とする電子投票システム。
【請求項９】
無線タグ読み込み手段は、無線タグに予め書き込まれている投票用紙を特定する情報である投票用紙特定情報を読み込み、
開票装置は、
前記無線タグ読み込み手段が読み込んだ投票用紙特定情報を記憶する投票用紙特定情報記憶手段と、
前記投票用紙特定情報記憶手段が前記無線タグ読み込み手段が読み込んだ投票用紙特定情報を既に記憶しているか否かを判断する重複読み込み判断手段と、
前記重複読み込み判断手段が前記投票用紙特定情報を前記投票用紙特定情報記憶手段が記憶していないと判断すると、前記無線タグ読み込み手段が読み込んだ投票データを投票データ記憶手段に記憶させる投票データ書き込み手段とを含む
請求項８記載の電子投票システム。
【請求項１０】
開票装置は、
暗号化された投票データを復号する投票データ復号手段を含む
請求項９記載の電子投票システム。
【請求項１１】
開票装置は、
投票データ復号手段が復号した投票データにもとづいて、各投票者が選択した候補を特定し、各候補が投票者に選択された数の情報である開票結果を生成する集計手段を含む
請求項１０記載の電子投票システム。
【請求項１２】
開票装置は、
投票データ書き込み手段が投票データを投票データ記憶手段に記憶させた回数を計数する読み込み枚数カウント手段と、
前記読み込み枚数カウント手段が計数した回数を前記開票装置の表示手段に表示させる読み込み枚数表示手段とを含む
請求項９から請求項１１のうちいずれか１項記載の電子投票システム。
【請求項１３】
開票装置は、
重複読み込み判断手段が、投票用紙特定情報記憶手段が、無線タグ読み込み手段が読み込んだ投票用紙特定情報を記憶していないと判断すると、前記無線タグ読み込み手段が読み込んだ投票用紙特定情報を前記投票用紙特定情報記憶手段に記憶させる投票用紙特定情報書き込み手段を含む
請求項９から請求項１２のうちいずれか１項記載の電子投票システム。
【請求項１４】
投票装置が、投票用紙に内蔵されている無線タグに投票者が選択した候補を特定する暗号化された情報である投票データを書き込み、
開票装置が、投票箱に投入された投票用紙に内蔵されている無線タグが記憶している投票データを復号して読み込む
電子投票方法。
【請求項１５】
投票装置に搭載される電子投票プログラムであって、
コンピュータに、
投票者が投票する候補の選択肢を投票装置の表示手段に表示させる候補表示処理と、
投票者が投票する候補を前記選択肢から選択して、投票者が選択した候補を特定する情報である投票データを入力する候補決定処理と、
投票データを暗号化する投票データ暗号化処理と、
投票用紙に内蔵されている無線タグに、投票データを書き込ませる無線タグ書き込み処理と
を実行させるための電子投票プログラム。
【請求項１６】
開票装置に搭載される電子投票プログラムであって、
投票用紙に内蔵されている無線タグに予め書き込まれている無線タグを特定する情報である投票用紙特定情報と、投票者が選択した候補を特定する情報である投票データとを読み込む無線タグ読み込み処理と、
前記無線タグ読み込み処理が読み込んだ投票用紙特定情報を記憶手段に記憶させる投票用紙特定情報記憶処理と、
前記無線タグ読み込み処理が読み込んだ投票データを前記記憶手段に記憶させる投票データ記憶処理と、
前記記憶手段が、前記無線タグ読み込み処理が読み込んだ投票用紙特定情報を記憶しているか否かを判断する重複読み込み判断処理と、
前記重複読み込み判断処理が、前記記憶手段が、前記無線タグ読み込み処理が読み込んだ投票用紙特定情報を記憶していないと判断すると、前記無線タグ読み込み処理が読み込んだ投票データを前記記憶手段に記憶させる投票データ書き込み処理と、
前記重複読み込み判断処理が、前記記憶手段が、前記無線タグ読み込み処理が読み込んだ投票用紙特定情報を記憶していないと判断すると、前記無線タグ読み込み処理が読み込んだ投票用紙特定情報を前記記憶手段に記憶させる投票用紙特定情報書き込み処理と、
前記投票データ書き込み処理が投票データを前記記憶手段に記憶させた回数を計数する読み込み枚数カウント処理と、
前記読み込み枚数カウント処理が計数した回数を開票装置の表示手段に表示させる読み込み枚数表示処理と、
暗号化された投票データを復号する投票データ復号処理と、
前記投票データ復号処理が復号した投票データにもとづいて、各投票者が選択した候補を特定し、各候補が投票者に選択された数の情報である開票結果を生成させる集計処理と
を実行させるための電子投票プログラム。
【発明の詳細な説明】
【技術分野】
【０００１】
本発明は、投票者が選択した候補を特定する情報を無線タグに書き込んで投票する電子投票システム、電子投票方法および電子投票プログラムに関する。
【背景技術】
【０００２】
近年、選挙において電子投票が導入されている。電子投票では、投票用紙の代わりに投票カード（投票券）が発行される。投票者は、投票カードを投票装置に挿入する。そして、投票者は、タッチパネル等のディスプレイに表示された候補者名や政党名（以下、候補者名等と記す。）を、タッチパネル等の投票したい候補者名等の領域に接触して選択する。投票装置は、投票者が選択した候補者名等の情報である投票情報を電磁的記録媒体に書き込む。電磁的記録媒体とは、例えば、コンパクトフラッシュ（登録商標）や、光磁気ディスク等である。
【０００３】
投票情報は、電子データとして投票装置内の電磁的記録媒体に記憶される。投票期間終了後にその電磁的記録媒体を投票装置から取り出し、開票所へ運搬する。開票所では、各投票所から集められた電磁的記録媒体から投票情報を読み出し、投票情報を集計して投票結果を出力手段に出力する。
【０００４】
ここで、最初に投票を行う者が、投票箱に票が入っていないことを確認する行為である零票確認は、電子投票では、電磁的記録媒体にデータが何も入っていないことを確認することになる。具体的には、投票装置が搭載するプログラムによって零票確認を行う。例えば、投票箱に接続されたコンピュータの表示手段に、投票箱が開いて中に何も入っていないアニメーションを表示させたり、単に「零票です。」と表示させたり、電磁的記録媒体の中身を閲覧することができるＧＵＩ（Ｇｒａｐｈｉｃａｌ  Ｕｓｅｒ  Ｉｎｔｅｒｆａｃｅ）のプログラムを操作して、電磁的記録媒体が何のファイルも記憶していないことを表示させたりする。また、封印された電磁的記録媒体を用いて、電磁的記録媒体が新品であることを証明したりする。
【０００５】
投票用紙が、候補者名等の情報を書き込むＩＣタグと、候補者名等を印字するリライト層とを備え、投票者がタッチパネルを操作して、ＩＣタグに候補者名等の投票情報を書き込み、リライト層に候補者名等を印字する方法が提案されている（例えば、特許文献１。）。
【０００６】
選挙管理人が、投票者が有権者であると確認すると、投票者に投票券として無線タグを内蔵したスタイラスペンを貸与し、投票者は、スタイラスペンを用いてタッチパネルを操作して投票を行うシステムが提案されている（例えば、特許文献２。）。
【０００７】
【特許文献１】特開２００２−２５９６２４号公報（第３−４頁、第３図）
【特許文献２】特開２００３−１６２２５号公報（第３−１０頁、第１図）
【発明の開示】
【発明が解決しようとする課題】
【０００８】
しかし、従来の電子投票では、一度電磁的記録媒体に投票情報が書き込まれると、投票情報の変更は不可能であり、投票者が操作ミス等により意図していない候補者等を選択してしまった場合でも投票情報を変更することができない。
【０００９】
また、零票確認は、電磁的記録媒体に票が一票も入っていないことを確認することになるが、電磁的記録媒体の中身を目視することができないため、従来のように人間の目で見て確認する零票確認とは異なり、信頼性に疑問があった。
【００１０】
さらに、電子投票におけるトラブルは、投票装置または投票カードの故障による投票の中断が最も多い。なかでも、投票カードを投票装置内に挿入するためのモータやローラ、投票カードのデータを読み取るための投票カードと投票装置との機械的な接触部分等、機械的な部品が原因となることが多い。このようなトラブルにより、投票者が投票を待たされたり、投票者が投票を待ちきれずに投票せずに帰ってしまったりするという問題があった。
【００１１】
そして、開票時には、各投票所から集められた電磁的記録媒体から投票情報を読み出すために、電磁的記録媒体を電磁的記録媒体の読み出し装置に脱着するのに時間がかかるという問題があった。電磁的記録媒体を電磁的記録媒体の読み出し装置に脱着するのにかかる時間は、投票データを集計するのにかかる時間に比べてはるかに長く、開票集計作業の時間を短縮するという電子投票の利点を損ねていた。  
【００１２】
特許文献１に記載の方法は、ＩＣタグに候補者名等の情報を書き込む際に暗号化を行わないため、投票の秘密を守るという選挙の大前提が考慮されていない。そのため、例えば、投票箱の近くに座っている管理人が、ＩＣタグの内容を読み取る装置を不正に所持していると、その管理人は、投票者がＩＣタグに書き込んだ候補者名等の情報を読み取ることができてしまい、投票の秘密を守ることができないという問題がある。
【００１３】
特許文献２に記載のシステムは、集計作業の時間を短縮するという電子投票を導入する目的について考慮されておらず、集計作業については何ら触れられていないため、各投票所から集められた電磁的記録媒体から投票データを読み出すために、電磁的記録媒体を電磁的記録媒体の読み出し装置に脱着するのに時間がかかるという従来の問題を解決していない。
【００１４】
そこで、本発明は、投票者が選択した候補に秘密を保持しつつ電子的に投票でき、また、短時間で集計結果を得ることができる電子投票システム、電子投票方法および電子投票プログラムを提供することを目的とする。
【課題を解決するための手段】
【００１５】
本発明による電子投票システムは、投票用紙に内蔵されている無線タグに投票者が選択した候補を特定する情報である投票データを暗号化して書き込む無線タグ書き込み手段を含む投票装置を備えたことを特徴とする。
【００１６】
無線タグが投票データを記憶する投票データ記憶部を含み、投票装置が、投票者が投票する候補の選択肢を投票装置の表示手段に表示する候補表示手段と、投票者によって選択肢から選択された候補を特定して、特定した候補の投票データを作成する候補特定手段とを含む構成であってよい。そのような構成によれば、投票者は、投票装置の表示手段に表示された候補から、投票する候補を選択することができる。
【００１７】
無線タグ書き込み手段が、投票者の確認操作を確認した後、候補データを無線タグにおける投票データ記憶部に書き込むように構成されていてもよい。そのような構成によれば、投票者が、誤りなく自己が選択する候補に投票することができる。
【００１８】
候補表示手段が、候補データが無線タグにおける投票データ記憶部に既に書き込まれていた場合には、その旨を表示手段に表示するように構成されていてもよい。そのような構成によれば、投票者は、既に行った操作によって候補データが無線タグに書き込まれていることを認識できるので、再投票が行える状況であることを知ることができる。
【００１９】
投票用紙は、複数枚のシートを含んでもよく、投票用紙が内蔵されている無線タグは、複数枚のシートに挟まれて投票用紙に固定されてもよい。そのような構成によれば、無線タグ付き投票用紙を実現することができる。
【００２０】
電子投票システムは、投票所の出口に設置され、無線タグを検出する無線タグ検出手段を備えてもよい。そのような構成によれば、投票者による無線タグ付き投票用紙の持ち帰りを防ぐことができる。
【００２１】
投票用紙に内蔵されている無線タグに予め書き込まれている無線タグを特定する情報である投票用紙特定情報と、投票データとを読み込む無線タグ読み込み手段と、無線タグ読み込み手段が読み込んだ投票用紙特定情報を記憶する投票用紙特定情報記憶手段と、無線タグ読み込み手段が読み込んだ投票データを記憶する投票データ記憶手段と、投票用紙特定情報記憶手段が、無線タグ読み込み手段が読み込んだ投票用紙特定情報を記憶しているか否かを判断する重複読み込み判断手段と、重複読み込み判断手段が、投票用紙特定情報記憶手段が、無線タグ読み込み手段が読み込んだ投票用紙特定情報を記憶していないと判断すると、無線タグ読み込み手段が読み込んだ投票データを投票データ記憶手段に記憶させる投票データ書き込み手段とを含む開票装置を備えてもよい。そのような構成によれば、投票装置が、投票者が選択した候補を特定する情報を投票用紙に内蔵されている無線タグに記憶させ、開票装置が、投票用紙に内蔵されている無線タグが記憶している情報を読み込むので、開票時間を短縮することができる。
【００２２】
本発明による他の態様の電子投票システムは、投票用紙に内蔵されている無線タグに記憶されているデータであって投票者が選択した候補を特定する暗号化された情報である投票データを読み込む無線タグ読み込み手段と、無線タグ読み込み手段が読み込んだ投票データを記憶する投票データ記憶手段とを含む開票装置を備えたことを特徴とする。
【００２３】
無線タグ読み込み手段が、無線タグに予め書き込まれている投票用紙を特定する情報である投票用紙特定情報を読み込み、開票装置が、無線タグ読み込み手段が読み込んだ投票用紙特定情報を記憶する投票用紙特定情報記憶手段と、投票用紙特定情報記憶手段が無線タグ読み込み手段が読み込んだ投票用紙特定情報を記憶しているか否かを判断する重複読み込み判断手段と、重複読み込み判断手段が投票用紙特定情報を投票用紙特定情報記憶手段が記憶していないと判断すると、無線タグ読み込み手段が読み込んだ投票データを投票データ記憶手段に記憶させる投票データ書き込み手段とを含むように構成されていてもよい。
【００２４】
開票装置が、暗号化された投票データを復号する投票データ復号手段を含んでもよい。そのような構成によれば、投票データの暗号化と復号を行うことにより、投票の秘密を守るという選挙の大前提となっている原則を守ることができる。
【００２５】
開票装置が、投票データ復号手段が復号した投票データにもとづいて、各投票者が選択した候補を特定し、各候補が投票者に選択された数の情報である開票結果を生成する集計手段を含んでもよい。そのような構成によれば、投票者が投票した結果を自動的に集計することができる。
【００２６】
開票装置が、投票データ書き込み手段が投票データを投票データ記憶手段に記憶させた回数を計数する読み込み枚数カウント手段と、読み込み枚数カウント手段が計数した回数を開票装置の表示手段に表示させる読み込み枚数表示手段とを含んでもよい。そのような構成によれば、投票所の受付の担当者が、無線タグ付き投票用紙を手渡した枚数と比較することによって、投票箱内の全ての無線タグが記憶している投票データを読み込んだか否かを特定することができる。
【００２７】
開票装置が、重複読み込み判断手段が、投票用紙特定情報記憶手段が、無線タグ読み込み手段が読み込んだ投票用紙特定情報を記憶していないと判断すると、無線タグ読み込み手段が読み込んだ投票用紙特定情報を投票用紙特定情報記憶手段に記憶させる投票用紙特定情報書き込み手段を含んでもよい。そのような構成によれば、一の無線タグが記憶している投票データの重複読み込みを防ぐことができる。
【００２８】
本発明による電子投票方法は、投票装置が、投票用紙に内蔵されている無線タグに投票者が選択した候補を特定する暗号化された情報である投票データを書き込み、開票装置が、投票箱に投入された投票用紙に内蔵されている無線タグが記憶している投票データを復号して読み込むことを特徴とする。
【００２９】
本発明による電子投票プログラムは、投票装置に搭載されるプログラムであって、コンピュータに、投票者が投票する候補の選択肢を投票装置の表示手段に表示させる候補表示処理と、投票者が投票する候補を選択肢から選択して、投票者が選択した候補を特定する情報である投票データを入力する候補決定処理と、投票データを暗号化する投票データ暗号化処理と、投票用紙に内蔵されている無線タグに、投票データを書き込ませる無線タグ書き込み処理とを実行させることを特徴とする。
【００３０】
本発明による他の態様の電子投票プログラムは、開票装置に搭載されるプログラムであって、投票用紙に内蔵されている無線タグに予め書き込まれている無線タグを特定する情報である投票用紙特定情報と、投票者が選択した候補を特定する情報である投票データとを読み込む無線タグ読み込み処理と、無線タグ読み込み処理が読み込んだ投票用紙特定情報を記憶手段に記憶させる投票用紙特定情報記憶処理と、無線タグ読み込み処理が読み込んだ投票データを記憶手段に記憶させる投票データ記憶処理と、記憶手段が、無線タグ読み込み処理が読み込んだ投票用紙特定情報を記憶しているか否かを判断する重複読み込み判断処理と、重複読み込み判断処理が、記憶手段が、無線タグ読み込み処理が読み込んだ投票用紙特定情報を記憶していないと判断すると、無線タグ読み込み処理が読み込んだ投票データを記憶手段に記憶させる投票データ書き込み処理と、重複読み込み判断処理が、記憶手段が、無線タグ読み込み処理が読み込んだ投票用紙特定情報を記憶していないと判断すると、無線タグ読み込み処理が読み込んだ投票用紙特定情報を記憶手段に記憶させる投票用紙特定情報書き込み処理と、投票データ書き込み処理が投票データを記憶手段に記憶させた回数を計数する読み込み枚数カウント処理と、読み込み枚数カウント処理が計数した回数を開票装置の表示手段に表示させる読み込み枚数表示処理と、暗号化された投票データを復号する投票データ復号処理と、投票データ復号処理が復号した投票データにもとづいて、各投票者が選択した候補を特定し、各候補が投票者に選択された数の情報である開票結果を生成させる集計処理とを実行させることを特徴とする。
【発明の効果】
【００３１】
本発明によれば、投票所において、投票者が選択した候補を特定する情報を投票用紙が内蔵されている無線タグに記憶させ、開票所において無線タグが記憶している情報を読み込む構成にしたので、開票時間を短縮することができる。
【発明を実施するための最良の形態】
【００３２】
図１は、本発明の実施の形態の一構成例を示す概略図である。本実施の形態は、投票者１００が投票する候補者名等を特定する情報と投票用紙毎に一意に付されている番号である投票用紙特定情報としてのシリアル番号とを記憶する無線タグ付き投票用紙２０と、投票所に設置され、投票者１００が操作して、投票者１００が投票する候補者名等を特定する情報を無線タグ付き投票用紙２０に記憶させる投票装置１０および投票者１００が無線タグ付き投票用紙２０を投票する投票箱２００と、投票所の出口に設置され、無線タグ付き投票用紙２０を検出する無線タグ検出手段としての無線タグ検知ゲート５０と、開票所に設置され、無線タグ付き投票用紙２０が記憶している、投票者１００が投票した候補者名等の情報およびシリアル番号を読み込む開票装置３０とを含む。
【００３３】
図２は、投票装置１０、無線タグ付き投票用紙２０および開票装置３０の一構成例を示すブロック図である。投票装置１０は、アンテナや変復調部を含む無線タグ読み書き部１１と、無線タグ読み書き部１１を介して無線タグ付き投票用紙２０が記憶している情報を読み込む無線タグ読み込み制御部１５と、無線タグ読み書き部１１を介して無線タグ付き投票用紙２０に情報を書き込む無線タグ書き込み制御部（無線タグ書き込み手段）１７と、選挙の投票の候補である候補者名等を表示部１２に表示させる候補者表示制御部（候補表示手段）１６と、投票者１００が選択した候補者や政党（以下、候補者等と記す。）等を特定し、特定した候補者等に予め対応付けられたＩＤである候補者ＩＤを特定する候補者決定部（候補特定手段）１３と、候補者ＩＤを暗号化し、暗号化した候補者ＩＤである投票データを生成する候補者ＩＤ暗号化部（投票データ暗号化手段）１４とを含む。表示部１２は、タッチパネル付きの表示器であり、投票者１００は、タッチパネルの所定の領域を手で触れたり、所定の領域にタッチペンを接触させたりして投票する候補者等を選択する。
【００３４】
投票装置１０は、プログラムを搭載するサーバ等のコンピュータによって実現され、コンピュータに、投票者１００が投票する候補の選択肢を表示部１２に表示させる候補表示処理と、投票者１００によって選択肢から選択された候補を特定して、特定した候補の投票データを作成する候補特定処理と、投票データを暗号化する投票データ暗号化処理と、投票用紙に内蔵されている無線タグに、投票者１００が選択した候補を特定する情報である投票データを書き込ませる無線タグ書き込み処理とを実行させるための電子投票プログラムにもとづいて動作する。
【００３５】
無線タグ付き投票用紙２０は、投票用紙に無線タグ２１が内蔵されているものである。無線タグ２１は、シリアル番号を記憶するシリアル番号記憶部２３と、投票者１００が投票する候補者等の候補者ＩＤを暗号化した情報である投票データを記憶する投票データ記憶部２４とを含む。投票用紙は、例えば、紙やプラスチック等の複数枚のシートによって構成され、無線タグ２１は、複数枚のシートに挟まれて投票用紙に固定されて投票用紙に内蔵される。
【００３６】
開票装置３０は、アンテナや変復調部を有する無線タグ読み込み部３１と、無線タグ読み込み部３１を介して無線タグ付き投票用紙２０からシリアル番号と投票データとを読み込む無線タグ読み込み制御部（無線タグ読み込み手段）３９と、無線タグ読み込み制御部３９が読み込んだシリアル番号を記憶する読み込み済みシリアル番号記憶部（投票用紙特定情報記憶手段）３３と、無線タグ読み込み制御部３９が読み込んだ投票データを記憶する読み込み済み投票データ記憶部（投票データ記憶手段）３４と、読み込み済みシリアル番号記憶部３３が既にシリアル番号を記憶していれば無線タグ付き投票用紙２０の重複読み込みであると判断し、読み込み済みシリアル番号記憶部３３がまだシリアル番号を記憶していなければ新規読み込みであると判断する重複読み込み判断部（重複読み込み判断手段）３２と、重複読み込み判断部３２が新規読み込みであると判断した場合に、シリアル番号を読み込み済みシリアル番号記憶部３３に記憶させるシリアル番号書き込み部（投票用紙特定情報書き込み手段）３５と、重複読み込み判断部３２が新規読み込みであると判断した場合に、投票データを読み込み済み投票データ記憶部３４に記憶させる投票データ書き込み部（投票データ書き込み手段）３６と、投票データ書き込み部３６が読み込み済み投票データ記憶部３４に投票データを記憶させた数を計数する読み込み枚数カウント部（読み込み枚数カウント手段）３７と、読み込み枚数カウント部３７が計数した投票データの数を、表示部６０に表示させる読み込み枚数表示制御部（読み込み枚数表示手段）３８と、投票装置１０の候補者ＩＤ暗号化部１４が暗号化した投票データを復号する復号部（投票データ復号手段）４０と、復号部４０が復号した投票データにもとづいて開票結果を集計する集計部（集計手段）４１と、開票結果を表示部６０に表示させる開票結果表示制御部４２とを含む。
【００３７】
開票装置３０は、プログラムを搭載するサーバ等のコンピュータによって実現され、投票用紙に内蔵されている無線タグ２１に予め書き込まれている無線タグ２１を特定する情報であるシリアル番号と、投票者１００が選択した候補を特定する情報である投票データとを読み込む無線タグ読み込み処理と、無線タグ読み込み処理が読み込んだシリアル番号を記憶手段に記憶させるシリアル番号記憶処理と、無線タグ読み込み処理が読み込んだ投票データを記憶手段に記憶させる投票データ記憶処理と、記憶手段が、無線タグ読み込み処理が読み込んだシリアル番号を記憶しているか否かを判断する重複読み込み判断処理と、重複読み込み判断処理が、無線タグ読み込み処理が読み込んだシリアル番号を記憶手段が記憶していないと判断すると、無線タグ読み込み処理が読み込んだ投票データを記憶手段に記憶させる投票データ書き込み処理と、重複読み込み判断処理が、無線タグ読み込み処理が読み込んだシリアル番号を記憶手段が記憶していないと判断すると、無線タグ読み込み処理が読み込んだシリアル番号を記憶手段に記憶させるシリアル番号書き込み処理と、投票データ書き込み処理が投票データを記憶手段に記憶させた回数を計数する読み込み枚数カウント処理と、読み込み枚数カウント処理が計数した回数を表示部６０に表示させる読み込み枚数表示処理と、暗号化された投票データを復号する投票データ復号処理と、投票データ復号処理が復号した投票データにもとづいて、各投票者が選択した候補を特定し、各候補が投票者１００に選択された数の情報である開票結果を生成させる集計処理とを実行させるための電子投票プログラムにもとづいて動作する。
【００３８】
次に、図３、図４および図５のフローチャートを参照してこの実施の形態の動作について説明する。まず、この実施の形態の投票所における動作を説明する図３のフローチャートを参照して、投票装置１０の動作について説明する。
【００３９】
投票者１００は、本人確認のために、投票所の受付の担当者に、例えば自分宛に送られてきた選挙通知葉書を提示する。投票所の受付の担当者は本人確認を行った投票者１００に無線タグ付き投票用紙２０を手渡す。このとき、無線タグ付き投票用紙２０の無線タグ２１が含むシリアル番号記憶部２３は、予めシリアル番号を記憶している。また、投票所の受付の担当者は、無線タグ付き投票用紙２０を投票者１００に手渡した枚数を計数し、選挙期間終了時には、無線タグ付き投票用紙２０を投票者１００に手渡した枚数を特定する。
【００４０】
また、投票日における最初の投票者１００は、投票管理者と立会人とともに、投票箱２００に票が１票も入っていないことを目視で確認する零票確認を行う。
【００４１】
無線タグ付き投票用紙２０を手渡された投票者１００は、投票装置１０の所定の投票用紙置き場に無線タグ付き投票用紙２０を置く（ステップＳ１０１）。無線タグ読み書き部１１は、例えば、無線タグ２１に電磁波を与え、無線タグ２１がそれに応じて出力する電磁波によって、所定の位置に無線タグ付き投票用紙２０が置かれたことを検知すると、自動的に無線タグ２１が含む投票データ記憶部２４が記憶している情報を読み込む（ステップＳ１０２）。そして、読み込んだ情報を無線タグ読み込み制御部１５に出力する。無線タグ読み込み制御部１５は、投票データ記憶部２４に既に投票データが記憶されていたか否かを判断する（ステップＳ１０３）。投票データがまだ記憶されていない場合には、ステップＳ１０５に移行する。既に投票データが記憶されていた場合には、表示部１２に、投票済みであることを表示する（ステップＳ１０４）。そして、候補者表示制御部１６は、投票装置１０が予め記憶している候補者名等の一覧を表示部１２に表示させる（ステップＳ１０５）。投票者１００は、表示部１２に表示された候補者名等の一覧から、投票する候補者名等を選択して入力することができる。投票する候補者名等を選択して入力するには、例えば、表示部１２に付随しているタッチパネルにおいて、投票する候補者名等の表示領域に触れればよい。
【００４２】
投票者１００が特定の候補者名等に対応する表示領域に触れた場合には（ステップＳ１０７）、位置情報がタッチパネルから候補者決定部１３に入力される。候補者決定部１３は、位置情報にもとづいて、投票者１００がどの候補者名等を選択したのかを特定する。特定結果は、候補者表示制御部１６にも入力される。候補者表示制御部１６は、投票者１００が選択した候補者名等を再度投票装置１０の表示部１２に表示させて投票者１００に確認させる（ステップＳ１０８）。なお、投票データ記憶部２４が既に投票データを記憶していた場合に、投票者１００が、新たに候補者名等を選択することなく終了操作を行ったときにはステップＳ１１１に移行する（ステップＳ１０６）。終了操作は、例えば、表示部１２に表示される終了ボタンに触れることである。
【００４３】
ステップＳ１０８において投票者１００に候補者名等を確認させる場合に、候補者表示制御部１６は、表示部１２に、選択した候補者等に投票することを決定することを選択する領域と、選択した候補者等を変更する領域とを表示させる。投票者１００は、選択した候補者等に投票するか、または選択した候補者等を変更するかを決定し、決定に応じた領域に触れる（ステップＳ１０９）。投票者１００が触れた領域が、選択した候補者等を変更する領域であった場合には、ステップＳ１０５に戻る。
【００４４】
ステップＳ１０９において、投票者１００が触れた領域が、選択した候補者等に投票することを決定する領域であった場合には、候補者決定部１３は、投票者１００が選択した候補者等に予め対応付けられた候補者ＩＤを特定する。そして、候補者ＩＤ暗号化部１４が、候補者ＩＤを暗号化して投票データを生成する。無線タグ読み書き制御部１７は、候補者ＩＤ暗号化部１４が生成した投票データを、無線タグ読み書き部１１を介して、無線タグ２１の投票データ記憶部２４に記憶させる（ステップＳ１１０）。なお、暗号化する方法は、例えば、楕円曲線暗号方式等の、候補者ＩＤ暗号化部１４が暗号化でき、復号部４０が復号でき、コンピュータプログラムによって実現できる方法であればよい。ＩＣタグ（無線タグ）に候補者名等の情報を書き込む際に暗号化を行うと、投票の秘密を守るという選挙の大前提を守ることができる。そのため、例えば、投票箱の近くに座っている管理人が、ＩＣタグの内容を読み取る装置を不正に所持している場合であっても、その管理人は、投票者がＩＣタグに書き込んだ候補者名等の情報を読み取ることができず、投票の秘密を守ることができる。
【００４５】
次いで、候補者表示制御部１６は、候補者決定部１３の指示により、候補者等の選択が終了したことを表示部１２に表示させ、投票者１００に候補者等の選択が終了したことを表示する（ステップＳ１１１）。投票者１００は、表示部１２に候補者等の選択が終了したことが表示されると、候補者等の選択が終了したことを認識でき、無線タグ付き投票用紙２０を投票装置１０から取り去り、投票箱２００に投入する（ステップＳ１１２）。なお、ステップＳ１１１の処理が行われた後、投票者１００は、再度、ステップＳ１０１の操作を行うこともできる。すなわち、投票者１００は、候補者等の選択を行って投票データが投票用紙に書き込まれた後、投票箱２００への投入が終了するまでは、候補者等の選択（投票用紙への投票データの書き込み）をやり直すことができる。
【００４６】
投票者１００は、投票箱２００への投票が終了すると、投票所の出口に向かい、投票所の出口に設置されている無線タグ検知ゲート５０を通過する（ステップＳ１１３）。投票者１００が、無線タグ付き投票用紙２０の無線タグ２１を所持している場合には、無線タグ検知ゲート５０からの電磁波に応じて無線タグ２１が出力する電磁波を無線タグ検知ゲート５０が検出し、投票所の出口の担当者に、投票者１００が無線タグ２１を所持していることを通知する（ステップＳ１１４）。投票所の出口の担当者に、投票者１００が無線タグ２１を所持していることを通知する方法は、例えば、無線タグ検知ゲート５０が警告音を発生させたり、警告灯を点灯させたりする。すると、投票所の出口の担当者は、無線タグ２１を所持している投票者１００が無線タグ検知ゲート５０を通過していることを認識して、その投票者１００に投票することを促し、無線タグ付き投票用紙２０の持ち帰りを防止することができる。投票を終了し、無線タグ２１を所持していない投票者１００は投票所から退場する。
【００４７】
次に、この実施の形態の開票所における動作について図面を参照して説明する。図４は、この実施の形態の開票所における動作を説明するフローチャートである。
【００４８】
まず、開票装置３０の制御部（図示せず）は、読み込み済みシリアル番号記憶部３３と、読み込み済み投票データ記憶部３４が記憶している内容を消去する（ステップＳ２０１）。すなわち、初期化する。次に、開票所の開票担当者は、開票装置３０の無線タグ読み込み部３１を投票箱２００に近づける（ステップＳ２０２）。すると、無線タグ読み込み制御部３９は、無線タグ読み込み部３１を介して、投票箱２００に入っている無線タグ付き投票用紙２０の無線タグ２１のシリアル番号記憶部２３が記憶しているシリアル番号と、投票データ記憶部２４が記憶している投票データとを読み込む（ステップＳ２０３）。
【００４９】
重複読み込み判断部３２は、読み込み済みシリアル番号記憶部３３が記憶しているシリアル番号を読み込み、読み込み済みシリアル番号記憶部３３が、無線タグ読み込み制御部３９が読み込んだシリアル番号を記憶しているか否かを判断する（ステップＳ２０５）。読み込み済みシリアル番号記憶部３３が、無線タグ読み込み部３１が読み込んだシリアル番号を記憶していた場合には、既にその無線タグ２１のシリアル番号記憶部２３が記憶しているシリアル番号と、投票データ記憶部２４が記憶している投票データとは既に読み込まれていることになるので、ステップＳ２０３に戻り、他の無線タグ２１の、シリアル番号記憶部２３が記憶しているシリアル番号と投票データ記憶部２４が記憶している投票データとを読み込む。
【００５０】
読み込み済みシリアル番号記憶部３３が、無線タグ読み込み制御部３９が読み込んだシリアル番号を記憶していなかった場合には、重複読み込み判断部３２は、シリアル番号書き込み部３５にシリアル番号を出力し、投票データ書き込み部３６に投票データを出力する。シリアル番号書き込み部３５は、入力されたシリアル番号を読み込み済みシリアル番号記憶部３３に記憶させる。投票データ書き込み部３６は、入力された投票データを読み込み済み投票データ記憶部３４に記憶させる（ステップＳ２０６）。投票データ書き込み部３６は、投票データを、読み込み済み投票データ記憶部３４に記憶させたことを読み込み枚数カウント部３７に出力する。読み込み枚数カウント部３７は、投票データ書き込み部３６が、投票データを読み込み済み投票データ記憶部３４に記憶させた回数を計数し、計数した値を読み込み枚数表示制御部３８に出力する。読み込み枚数表示制御部３８は、読み込み枚数カウント手段３７が計数した値を、表示部６０に表示させる。例えば、投票データ書き込み部３６が、投票データを一つ読み込み済み投票データ記憶部３４に記憶させると、表示部６０に表示されている値が１つ増える（ステップＳ２０７）。
【００５１】
開票所の開票担当者は、読み込み枚数表示部３８が表示部６０に表示させる値が、投票所の受付の担当者が計数した、無線タグ付き投票用紙２０を投票者１００に手渡した枚数になるまで、ステップＳ２０２以降の動作を繰り返す（ステップＳ２０８）。また、投票箱が複数存在する場合にも、他の投票箱に対して、ステップ２０２以降の動作を繰り返す。
【００５２】
なお、公職選挙法施行令第４５条において、投票に関する書類は、当該選挙の任期間中、市町村の選挙管理委員会において保存しなければならないと定められている。本実施の形態では、投票の媒体は無線タグ付き投票用紙２０すなわち紙である。よって従来の投票用紙を保存するのと同様の方法で、選挙管理委員会等は、その選挙結果における当選者の任期間中において無線タグ付き投票用紙２０を保存できる。
【００５３】
次に、開票結果を集計する際の動作について図面を参照して説明する。図５は、開票結果を集計する際の動作を説明するフローチャートである。
【００５４】
開票所の開票担当者は、読み込み枚数表示制御部３８が表示部６０に表示させた値が、投票所の受付の担当者が計数した、無線タグ付き投票用紙２０を投票者１００に手渡した枚数になると、開票装置３０を操作して、開票装置３０が搭載する復号プログラムである復号部４０を実行させ、読み込み済み投票データ記憶部３４が記憶している投票データを復号させる（ステップＳ３０１）。
【００５５】
復号部４０は、読み込み済み投票データ記憶部３４が記憶している投票データを復号して、投票データの復号結果である候補者ＩＤを集計部４１に出力する。集計部４１は、入力された候補者ＩＤの数を、候補者ＩＤ毎に計数する（ステップＳ３０２）。そして、集計部４１は、計数した候補者ＩＤの数と、候補者ＩＤに予め対応付けられていた候補者名等とを対応付ける情報である開票結果の情報を生成する（ステップＳ３０３）。集計部４１は、生成した開票結果を開票結果表示制御部４２に出力する。開票結果表示制御部４２は、開票結果を表示部６０に表示させる（ステップＳ３０４）。開票管理者と立会人とは、表示部６０に表示された開票結果を目視で認識し、当選した候補者等を特定する。開票装置３０は、印刷手段（図示せず）を用いて開票結果を印刷してもよい。
【００５６】
以上述べたように、この実施の形態によれば、投票者１００が選択した候補を特定する情報を投票用紙に内蔵されている無線タグ２１に記憶させ、開票所において無線タグ２１が記憶している情報を読み込む構成にしたので、開票時間を短縮することができる。また、投票者１００が無線タグ付き投票用紙２０を投票箱２００に投入するまでは、投票する候補者等を変更することができる。そして、開票装置３０と無線タグ付き投票用紙２０とを直接接触させずに開票できるため、開票装置３０と投票用紙との接触部分の機械的な故障を防ぐことができる。また、無線タグ２１が出力する電磁波を検出する無線タグ検知ゲート５０を投票所の出口に備えた構成にしたので、投票者１００による無線タグ付き投票用紙２０の持ち帰りを防止することができる。さらに、投票者１００に無線タグ付き投票用紙２０を投票箱に投入させる構成にしたので、零票確認を目視で行うことができる。
【産業上の利用可能性】
【００５７】
本発明は、選挙における投票所または開票所において、効果的に適用される。
【図面の簡単な説明】
【００５８】
【図１】本発明の実施の形態の一構成例を示す概略図である。
【図２】投票装置と無線タグ付き投票用紙と開票装置との一構成例を示すブロック図である。
【図３】この実施の形態の投票所における動作を説明するフローチャートである。
【図４】この実施の形態の開票所における動作を説明するフローチャートである。
【図５】開票結果を集計する際の動作を説明するフローチャートである。
【符号の説明】
【００５９】
１０  投票装置
１１  無線タグ読み書き部
１２  表示部
１３  候補者決定部
１４  候補者ＩＤ暗号化部
１５  無線タグ読み込み制御部
１６  候補者表示制御部
１７  無線タグ書き込み制御部
２０  無線タグ付き投票用紙
２１  無線タグ
２３  シリアル番号記憶部
２４  投票データ記憶部
３０  開票装置
３１  無線タグ読み込み部
３２  重複読み込み判断部
３３  読み込み済みシリアル番号記憶部
３４  読み込み済み投票データ記憶部
３５  シリアル番号書き込み部
３６  投票データ書き込み部
３７  読み込み枚数カウント部
３８  読み込み枚数表示部
３９  無線タグ読み込み制御部
４０  復号部
４１  集計部
４２  表示部
５０  無線タグ検知ゲート
６０  表示部
１００  投票者
【図１】
2005141569.tif 000003
【図２】
2005141569.tif 000004
【図３】
2005141569.tif 000005
【図４】
2005141569.tif 000006
【図５】
2005141569.tif 000007